(57)【要約】      （修正有）【課題】８０ｍｍ以上の長いネジの打ち込みを片手で簡易に安定した状態で行うことができるネジ締め機を提供する。【解決手段】駆動軸３有する締付機本体２に支持シャフト枠部２０を設け、支持シャフト枠部の先端側にネジ及びビットを通過させる先端ヒンジ機構部２８を、締付機本体側にネジ長さ調整体を備えた保持機構部１１と、駆動軸に着脱可能に連結される駆動力伝達部４０と、支持シャフト枠部の締付機本体側にスライド可能に装着した本体側嵌装部とを具備する本体側ブロック１２と、ネジの頭部を駆動軸の軸方向に通過可能に支持するビット・ネジ中間移送機構部と、支持シャフト枠部にスライド可能に嵌装した中間嵌装部６２とを具備する中間ブロック１３と、ビット・ネジ先端移送機構部を付勢する本体側ブロック付勢部材と、中間ブロックを付勢する中間頭部ブロック付勢部材と、を具備するネジ締付機用アタッチメント１０を着脱可能とした。【選択図】図１
2007144602.tif 000002
【特許請求の範囲】
【請求項１】
駆動モータと、駆動モータの回転力を駆動軸に伝達、遮断するクラッチとを有する締付機本体と、この締付機本体に対して着脱可能に構成され、先端を目的箇所に当接させるネジ締付機用アタッチメントとを有するネジ締付機であって、
前記締付機本体の駆動軸近傍から先方に向けて配置される所定長さの支持シャフト枠部、若しくはガイドハウジング等を有するとともに、締め付け用のネジの先端を着脱可能に支持しこのネジ及びこのネジを回転駆動するビットを通過させるビット・ネジ先端移送機構部を前記支持シャフト枠部、若しくはガイドハウジング等の先端側に備え、前記支持シャフト枠部、若しくはガイドハウジング等の締付機本体側にこの支持シャフト枠部、若しくはガイドハウジング等に対して位置調整可能に、かつ、固定可能に配置したネジ長さ調整体を備えた保持機構部と、
前記締付機本体の駆動軸に着脱可能に連結されるとともに前記駆動軸の回転力を伝達するビットの基端を連結支持するソケットを有する駆動力伝達部と、この駆動力伝達部を嵌着し前記所定長さの支持シャフト枠部、若しくはガイドハウジング等の締付機本体側にスライド可能に嵌装した本体側嵌装部とを具備する本体側ブロックと、
前記ビット先端に対向させるネジの頭部を着脱可能に、かつ、駆動軸の軸方向に通過可能に支持するビット・ネジ中間移送機構部と、このビット・ネジ中間移送機構部と一体で前記ネジの長さに応じた位置で前記所定長さの支持シャフト枠部、若しくはガイドハウジング等にスライド可能に嵌装した中間嵌装部とを具備する中間ブロックと、
を有し、
前記保持機構部の本体側ブロック、中間ブロックに対する位置調整を前記ネジ長さ調整体で行うことにより締付機本体からの突出長さを調整可能に前記ネジ締付機用アタッチメントを構成したことを特徴とするネジ締付機。
【請求項２】
駆動モータと、駆動モータの回転力を駆動軸に伝達、遮断するクラッチとを有する締付機本体と、この締付機本体に対して着脱可能に構成され、先端を目的箇所に当接させるネジ締付機用アタッチメントとを有するネジ締付機であって、
前記締付機本体の駆動軸近傍から先方に向けて配置される所定長さの支持シャフト枠部、若しくはガイドハウジング等を有するとともに、締め付け用のネジの先端を着脱可能に支持しこのネジ及びこのネジを回転駆動するビットを通過させるビット・ネジ先端移送機構部を前記支持シャフト枠部、若しくはガイドハウジング等の先端側に備え、前記支持シャフト枠部、若しくはガイドハウジング等の締付機本体側にこの支持シャフト枠部、若しくはガイドハウジング等に対して位置調整可能に、かつ、固定可能に配置したネジ長さ調整体を備えた保持機構部と、
前記締付機本体の駆動軸に着脱可能に連結されるとともに前記駆動軸の回転力を伝達するビットの基端を連結支持するソケットを有する駆動力伝達部と、この駆動力伝達部を嵌着し前記所定長さの支持シャフト枠部、若しくはガイドハウジング等の締付機本体側にスライド可能に嵌装されるとともに、前記ビットと同方向の突出体を先方に向けて突出させた本体側嵌装部とを具備する本体側ブロックと、
前記ビット先端に対向させるネジの頭部を着脱可能に、かつ、ネジの頭部を所定の支持力を伴いつつ駆動軸の軸方向に通過可能に支持するビット・ネジ中間移送機構部と、このビット・ネジ中間移送機構部と一体で前記ネジの長さに応じた位置で、前記所定長さの支持シャフト枠部、若しくはガイドハウジング等にスライド可能に嵌装されるとともに、ネジの頭部へのビット当接時には摩擦力によりビット・ネジ中間移送機構部を初期位置に止めてビットとともに前記ネジの頭部を前記支持力に抗して先方へ通過させ、前記本体側ブロックに備えた突出体の当接による力を受けてこのビット・ネジ中間移送機構部を先方へスライド可能とする摩擦抵抗機構部を備えた中間嵌装部とを具備する中間ブロックと、
を有し、
前記保持機構部の本体側ブロック、中間ブロックに対する位置調整を前記ネジ長さ調整体で行うことにより締付機本体からの突出長さを調整可能に前記ネジ締付機用アタッチメントを構成したことを特徴とするネジ締付機。
【請求項３】
駆動モータと、駆動モータの回転力を駆動軸に伝達、遮断するクラッチとを有する締付機本体と、この締付機本体に対して着脱可能に構成され、先端を目的箇所に当接させるネジ締付機用アタッチメントとを有するネジ締付機であって、
前記締付機本体の駆動軸近傍から先方に向けて配置される所定長さの支持シャフト枠部、若しくはガイドハウジング等を有するとともに、締め付け用のネジの先端を着脱可能に支持しこのネジ及びこのネジを回転駆動するビットを通過させる先端ヒンジ機構部を設けたビット・ネジ先端移送機構部を前記支持シャフト枠部、若しくはガイドハウジング等の先端側に備え、前記支持シャフト枠部、若しくはガイドハウジング等の締付機本体側にこの支持シャフト枠部、若しくはガイドハウジング等に対して位置調整可能に、かつ、固定可能に配置したネジ長さ調整体を備えた保持機構部と、
前記締付機本体の駆動軸に着脱可能に連結されるとともに前記駆動軸の回転力を伝達するビットの基端を連結支持するソケットを有する駆動力伝達部と、この駆動力伝達部を嵌着し前記所定長さの支持シャフト枠部、若しくはガイドハウジング等の締付機本体側にスライド可能に嵌装されるとともに、前記ビットと同方向の突出体を先方に向けて突出させた本体側嵌装部とを具備する本体側ブロックと、
前記ビット先端に対向させるネジの頭部を着脱可能に、かつ、ネジの頭部を所定の支持力を伴いつつ駆動軸の軸方向に通過可能に支持するビット・ネジ中間移送機構部と、このビット・ネジ中間移送機構部と一体で前記ネジの長さに応じた位置で、前記所定長さの支持シャフト枠部、若しくはガイドハウジング等にスライド可能に嵌装されるとともに、ネジの頭部へのビット当接時には摩擦力によりビット・ネジ中間移送機構部を初期位置に止めてビットとともに前記ネジの頭部を前記支持力に抗して先方へ通過させ、前記本体側ブロックに備えた突出体の当接による力を受けてこのビット・ネジ中間移送機構部を先方へスライド可能とする摩擦抵抗機構部を備えた中間嵌装部とを具備する中間ブロックと、
を有し、
前記保持機構部の本体側ブロック、中間ブロックに対する位置調整を前記ネジ長さ調整体で行うことにより締付機本体からの突出長さを調整可能に前記ネジ締付機用アタッチメントを構成したことを特徴とするネジ締付機。
【請求項４】
駆動モータと、駆動モータの回転力を駆動軸に伝達、遮断するクラッチとを有する締付機本体と、この締付機本体に対して着脱可能に構成され、先端を目的箇所に当接させるネジ締付機用アタッチメントとを有するネジ締付機であって、
前記締付機本体の駆動軸近傍から先方に向けて配置される所定長さの複数本のシャフト並列構造の支持シャフト枠部を有するとともに、締め付け用のネジの先端を所定の支持力で支持しこのネジ及びこのネジを回転駆動するビットを通過させる先端ヒンジ機構部を設けたビット・ネジ先端移送機構部を前記支持シャフト枠部の先端側に備え、前記複数本のシャフト並列構造の支持シャフト枠部の締付機本体側にこの支持シャフト枠部に対して位置調整可能に、かつ、固定可能に配置したネジ長さ調整体を備えた保持機構部と、
前記締付機本体の駆動軸に着脱可能に連結されるとともに前記駆動軸の回転力を伝達するビットの基端を連結支持するソケットを有する駆動力伝達部と、この駆動力伝達部を嵌着し前記所定長さの支持シャフト枠部のシャフトの締付機本体側に、スライド可能に、かつ、前記ネジ長さ調整体により位置調整可能に嵌装され、前記ビットと同方向に押当用の筒状の突出体及びこの突出体より長い間隔保持用のカラー筒体を前記シャフトに同軸配置に嵌装し先方に向けて突出させた本体側嵌装部とを具備する本体側ブロックと、
前記ビットの先端を駆動軸の軸方向に通過可能に支持するとともに、前記ビットの先端に対向させるネジの頭部を着脱可能に、かつ、所定の支持力を伴いつつ駆動軸の軸方向に通過可能に支持する中間ヒンジ部を設けたビット・ネジ中間移送機構部と、このビット・ネジ中間移送機構部と一体に設けられ、ネジの頭部へのビット当接時には摩擦力によりビット・ネジ中間移送機構部を初期位置に止めてビットとともに前記ネジの頭部を前記中間ヒンジ機構部の支持力に抗して先方へ通過させ、前記本体側ブロックに備えた突出体の当接による力を受けてこのビット・ネジ中間移送機構部を先方へスライド可能とする摩擦抵抗機構部であるブッシュを前記シャフトとの間に介在させ、前記間隔保持用のカラー筒体により本体側嵌装部との間隔が規制されるとともに、前記突出体の当接により前記ビット・ネジ先端移送機構部側にスライドする中間嵌装部とを具備する中間ブロックと、
前記ビット・ネジ先端移送機構部の支持シャフト枠部に対する固定部分と、前記本体側ブロックの本体側嵌装部とにわたって前記シャフトに嵌装した前記ビット・ネジ先端移送機構部を付勢する本体側ブロック付勢部材と、
前記ビット・ネジ先端移送機構部の支持シャフト枠部に対する固定部分と、前記中間ブロックの中間嵌装部とにわたって前記シャフトに嵌装した中間ブロックを付勢する中間ブロック付勢部材と、
を有し、
前記保持機構部の本体側ブロック、中間ブロックに対する位置調整を前記ネジ長さ調整体で行うことにより締付機本体からの突出長さを調整可能に前記ネジ締付機用アタッチメントを構成したことを特徴とするネジ締付機。
【請求項５】
駆動モータと、駆動モータの回転力を駆動軸に伝達、遮断するクラッチとを有する締付機本体と、この締付機本体に対して着脱可能に構成され、先端を目的箇所に当接させるネジ締付機用アタッチメントとを有するネジ締付機であって、
前記締付機本体の駆動軸近傍から先方に向けて配置される所定長さの複数本のシャフト並列構造の支持シャフト枠部、若しくはガイドハウジング等を有するとともに、締め付け用のネジの先端を着脱可能に支持しこのネジ及びこのネジを回転駆動するビットを通過させる先端ヒンジ機構部を設けたビット・ネジ先端移送機構部を前記支持シャフト枠部、若しくはガイドハウジング等の先端側に備え、前記複数本のシャフト並列構造の支持シャフト枠部、若しくはガイドハウジング等の締付機本体側にこの支持シャフト枠部、若しくはガイドハウジング等に対して位置調整可能に、かつ、固定可能に配置したネジ長さ調整体を備えた保持機構部と、
前記締付機本体の駆動軸に着脱可能に連結されるとともに前記駆動軸の回転力を伝達するビットの基端を連結支持するソケットを有する駆動力伝達部と、この駆動力伝達部を嵌着し前記所定長さの支持シャフト枠部、若しくはガイドハウジング等の締付機本体側にスライド可能に、かつ、前記ネジ長さ調整体により位置調整可能に嵌装され、前記ビットと同方向に押当用の筒状の突出体及びこの突出体より長い間隔保持用のカラー筒体、若しくは棒体を前記支持シャフト枠部のシャフト、若しくはガイドハウジング等のガイドに同軸配置に嵌装し先方に向けて突出させた本体側嵌装部とを具備する本体側ブロックと、
前記ビットの先端を駆動軸の軸方向に通過可能に支持するとともに、前記ビットの先端に対向させるネジの頭部を着脱可能に、かつ、前記ネジの頭部を所定の支持力を伴いつつ駆動軸の軸方向に通過可能に支持する中間ヒンジ部を設けたビット・ネジ中間移送機構部と、このビット・ネジ中間移送機構部と一体で前記ネジの長さに応じた位置で前記所定長さの支持シャフト枠部、若しくはガイドハウジング等にスライド可能に嵌装されるとともに、ネジの頭部へのビット当接時には摩擦力によりビット・ネジ中間移送機構部を初期位置に止めてビットとともに前記ネジの頭部を前記支持力に抗して先方へ通過させ、前記間隔保持用のカラー筒体により本体側嵌装部との間隔が規制されるとともに、前記本体側ブロックに備えた突出体の当接による力を受けてこのビット・ネジ中間移送機構部を先方へスライド可能とする摩擦抵抗機構部を備えた中間嵌装部とを具備する中間ブロックと、
前記ビット・ネジ先端移送機構部の支持シャフト枠部に対する固定部分と、前記本体側ブロックの本体側嵌装部とにわたって前記シャフトに嵌装した前記ビット・ネジ先端移送機構部を付勢する本体側ブロック付勢部材と、
前記ビット・ネジ先端移送機構部の支持シャフト枠部に対する固定部分と、前記中間ブロックの中間嵌装部とにわたって前記シャフトに嵌装した中間ブロックを付勢する中間ブロック付勢部材と、
を有し、
前記保持機構部の本体側ブロック、中間ブロックに対する位置調整を前記ネジ長さ調整体で行うことにより締付機本体からの突出長さを調整可能に前記ネジ締付機用アタッチメントを構成したことを特徴とするネジ締付機。
【請求項６】
前記締め付け用のネジの長さは、８０ｍｍ乃至２００ｍｍであることを特徴とする請求項１乃至５のいずれかに記載のネジ締付機。
【請求項７】
駆動モータと、駆動モータの回転力を駆動軸に伝達、遮断するクラッチとを有するネジ締付機に対して着脱可能に構成され、先端を目的箇所に当接させるネジ締付機用アタッチメントであって、
前記ネジ締付機の駆動軸近傍から先方に向けて配置される所定長さの支持シャフト枠部、若しくはガイドハウジング等を有するとともに、締め付け用のネジの先端を着脱可能に支持しこのネジ及びこのネジを回転駆動するビットを通過させるビット・ネジ先端移送機構部を前記支持シャフト枠部、若しくはガイドハウジング等の先端側に備え、前記支持シャフト枠部、若しくはガイドハウジング等のネジ締付機側にこの支持シャフト枠部、若しくはガイドハウジング等に対して位置調整可能に、かつ、固定可能に配置したネジ長さ調整体を備えた保持機構部と、
前記ネジ締付機の駆動軸に着脱可能に連結されるとともに前記駆動軸の回転力を伝達するビットの基端を連結支持するソケットを有する駆動力伝達部と、この駆動力伝達部を嵌着し前記所定長さの支持シャフト枠部、若しくはガイドハウジング等のネジ締付機側にスライド可能に嵌装した本体側嵌装部とを具備する本体側ブロックと、
前記ビット先端に対向させるネジの頭部を着脱可能に、かつ、駆動軸の軸方向に通過可能に支持するビット・ネジ中間移送機構部と、このビット・ネジ中間移送機構部と一体で前記ネジの長さに応じた位置で前記所定長さの支持シャフト枠部、若しくはガイドハウジング等にスライド可能に嵌装した中間嵌装部とを具備する中間ブロックと、
を有し、
前記保持機構部の本体側ブロック、中間ブロックに対する位置調整を前記ネジ長さ調整体で行うことによりネジ締付機からの突出長さを調整可能に構成したことを特徴とするネジ締付機用アタッチメント。
【請求項８】
駆動モータと、駆動モータの回転力を駆動軸に伝達、遮断するクラッチとを有するネジ締付機に対して着脱可能に構成され、先端を目的箇所に当接させるネジ締付機用アタッチメントであって、
前記ネジ締付機の駆動軸近傍から先方に向けて配置される所定長さの支持シャフト枠部、若しくはガイドハウジング等を有するとともに、締め付け用のネジの先端を着脱可能に支持しこのネジ及びこのネジを回転駆動するビットを通過させるビット・ネジ先端移送機構部を前記支持シャフト枠部、若しくはガイドハウジング等の先端側に備え、前記支持シャフト枠部、若しくはガイドハウジング等のネジ締付機側にこの支持シャフト枠部、若しくはガイドハウジング等に対して位置調整可能に、かつ、固定可能に配置したネジ長さ調整体を備えた保持機構部と、前記ネジ締付機の駆動軸に着脱可能に連結されるとともに前記駆動軸の回転力を伝達するビットの基端を連結支持するソケットを有する駆動力伝達部と、この駆動力伝達部を嵌着し前記所定長さの支持シャフト枠部、若しくはガイドハウジング等のネジ締付機側にスライド可能に嵌装されるとともに、前記ビットと同方向の突出体を先方に向けて突出させた本体側嵌装部とを具備する本体側ブロックと、
前記ビット先端に対向させるネジの頭部を着脱可能に、かつ、ネジの頭部を所定の支持力を伴いつつ駆動軸の軸方向に通過可能に支持するビット・ネジ中間移送機構部と、このビット・ネジ中間移送機構部と一体で前記ネジの長さに応じた位置で前記所定長さの支持シャフト枠部、若しくはガイドハウジング等にスライド可能に嵌装されるとともに、ネジの頭部へのビット当接時には摩擦力によりビット・ネジ中間移送機構部を初期位置に止めてビットとともに前記ネジの頭部を前記支持力に抗して先方へ通過させ、前記本体側ブロックに備えた突出体の当接による力を受けてこのビット・ネジ中間移送機構部を先方へスライド可能とする摩擦抵抗機構部を備えた中間嵌装部とを具備する中間ブロックと、
を有し、
前記保持機構部の本体側ブロック、中間ブロックに対する位置調整を前記ネジ長さ調整体で行うことによりネジ締付機からの突出長さを調整可能に構成したことを特徴とするネジ締付機用アタッチメント。
【請求項９】
駆動モータと、駆動モータの回転力を駆動軸に伝達、遮断するクラッチとを有するネジ締付機に対して着脱可能に構成され、先端を目的箇所に当接させるネジ締付機用アタッチメントであって、
前記ネジ締付機の駆動軸近傍から先方に向けて配置される所定長さの支持シャフト枠部、若しくはガイドハウジング等を有するとともに、締め付け用のネジの先端を着脱可能に支持しこのネジ及びこのネジを回転駆動するビットを通過させる先端ヒンジ機構部を設けたビット・ネジ先端移送機構部を前記支持シャフト枠部、若しくはガイドハウジング等の先端側に備え、前記支持シャフト枠部、若しくはガイドハウジング等のネジ締付機側にこの支持シャフト枠部、若しくはガイドハウジング等に対して位置調整可能に、かつ、固定可能に配置したネジ長さ調整体を備えた保持機構部と、
前記ネジ締付機の駆動軸に着脱可能に連結されるとともに前記駆動軸の回転力を伝達するビットの基端を連結支持するソケットを有する駆動力伝達部と、この駆動力伝達部を嵌着し前記所定長さの支持シャフト枠部、若しくはガイドハウジング等のネジ締付機側にスライド可能に嵌装されるとともに、前記ビットと同方向の突出体を先方に向けて突出させた本体側嵌装部とを具備する本体側ブロックと、
前記ビット先端に対向させるネジの頭部を着脱可能に、かつ、ネジの頭部を所定の支持力を伴いつつ駆動軸の軸方向に通過可能に支持するビット・ネジ中間移送機構部と、このビット・ネジ中間移送機構部と一体で前記ネジの長さに応じた位置で前記所定長さの支持シャフト枠部、若しくはガイドハウジング等にスライド可能に嵌装されるとともに、ネジの頭部へのビット当接時には摩擦力によりビット・ネジ中間移送機構部を初期位置に止めてビットとともに前記ネジの頭部を前記支持力に抗して先方へ通過させ、前記本体側ブロックに備えた突出体の当接による力を受けてこのビット・ネジ中間移送機構部を先方へスライド可能とする摩擦抵抗機構部を備えた中間嵌装部とを具備する中間ブロックと、
を有し、
前記保持機構部の本体側ブロック、中間ブロックに対する位置調整を前記ネジ長さ調整体で行うことによりネジ締付機からの突出長さを調整可能に構成したことを特徴とするネジ締付機用アタッチメント。
【請求項１０】
駆動モータと、駆動モータの回転力を駆動軸に伝達、遮断するクラッチとを有するネジ締付機に対して着脱可能に構成され、先端を目的箇所に当接させるネジ締付機用アタッチメントであって、
前記ネジ締付機の駆動軸近傍から先方に向けて配置される所定長さの複数本のシャフト並列構造の支持シャフト枠部を有するとともに、締め付け用のネジの先端を所定の支持力で支持しこのネジ及びこのネジを回転駆動するビットを通過させる先端ヒンジ機構部を設けたビット・ネジ先端移送機構部を前記支持シャフト枠部の先端側に備え、前記複数本のシャフト並列構造の支持シャフト枠部のネジ締付機側にこの支持シャフト枠部に対して位置調整可能に、かつ、固定可能に配置したネジ長さ調整体を備えた保持機構部と、
前記ネジ締付機の駆動軸に着脱可能に連結されるとともに前記駆動軸の回転力を伝達するビットの基端を連結支持するソケットを有する駆動力伝達部と、この駆動力伝達部を嵌着し前記所定長さの支持シャフト枠部のシャフトのネジ締付機側にスライド可能に、かつ、前記ネジ長さ調整体により位置調整可能に嵌装され、前記ビットと同方向に押当用の筒状の突出体及びこの突出体より長い間隔保持用のカラー筒体を前記シャフトに同軸配置に嵌装し先方に向けて突出させた本体側嵌装部とを具備する本体側ブロックと、
前記ビットの先端を駆動軸の軸方向に通過可能に支持するとともに、前記ビットの先端に対向させるネジの頭部を着脱可能に、かつ、所定の支持力を伴いつつ駆動軸の軸方向に通過可能に支持する中間ヒンジ部を設けたビット・ネジ中間移送機構部と、このビット・ネジ中間移送機構部と一体に設けられ、ネジの頭部へのビット当接時には摩擦力によりビット・ネジ中間移送機構部を初期位置に止めてビットとともに前記ネジの頭部を前記中間ヒンジ機構部の支持力に抗して先方へ通過させ、前記本体側ブロックに備えた突出体の当接による力を受けてこのビット・ネジ中間移送機構部を先方へスライド可能とする摩擦抵抗機構部であるブッシュを前記シャフトとの間に介在させて、前記間隔保持用のカラー筒体により本体側嵌装部との間隔が規制されるとともに、前記突出体の当接により前記ビット・ネジ先端移送機構部側にスライドする中間嵌装部とを具備する中間ブロックと、
前記ビット・ネジ先端移送機構部の支持シャフト枠部に対する固定部分と、前記本体側ブロックの本体側嵌装部とにわたって前記シャフトに嵌装した前記ビット・ネジ先端移送機構部を付勢する本体側ブロック付勢部材と、
前記ビット・ネジ先端移送機構部の支持シャフト枠部に対する固定部分と、前記中間ブロックの中間嵌装部とにわたって前記シャフトに嵌装した中間ブロックを付勢する中間ブロック付勢部材と、
を有し、
前記保持機構部の本体側ブロック、中間ブロックに対する位置調整を前記ネジ長さ調整体で行うことによりネジ締付機からの突出長さを調整可能に構成したことを特徴とするネジ締付機用アタッチメント。
【請求項１１】
駆動モータと、駆動モータの回転力を駆動軸に伝達、遮断するクラッチとを有するネジ締付機に対して着脱可能に構成され、先端を目的箇所に当接させるネジ締付機用アタッチメントであって、
前記ネジ締付機の駆動軸近傍から先方に向けて配置される所定長さの複数本のシャフト並列構造の支持シャフト枠部、若しくはガイドハウジング等を有するとともに、締め付け用のネジの先端を着脱可能に支持しこのネジ及びこのネジを回転駆動するビットを通過させる先端ヒンジ機構部を設けたビット・ネジ先端移送機構部を前記支持シャフト枠部、若しくはガイドハウジング等の先端側に備え、前記複数本のシャフト並列構造の支持シャフト枠部、若しくはガイドハウジング等のネジ締付機側にこの支持シャフト枠部、若しくはガイドハウジング等に対して位置調整可能に、かつ、固定可能に配置したネジ長さ調整体を備えた保持機構部と、
前記ネジ締付機の駆動軸に着脱可能に連結されるとともに前記駆動軸の回転力を伝達するビットの基端を連結支持するソケットを有する駆動力伝達部と、この駆動力伝達部を嵌着し前記所定長さの支持シャフト枠部、若しくはガイドハウジング等のネジ締付機側にスライド可能に、かつ、前記ネジ長さ調整体により位置調整可能に嵌装され、前記ビットと同方向に押当用の筒状の突出体及びこの突出体より長い間隔保持用のカラー筒体、若しくは棒体を前記支持シャフト枠部のシャフト、若しくはガイドハウジング等のガイドに同軸配置に嵌装し先方に向けて突出させた本体側嵌装部とを具備する本体側ブロックと、
前記ビットの先端を駆動軸の軸方向に通過可能に支持するとともに、前記ビットの先端に対向させるネジの頭部を着脱可能に、かつ、前記ネジの頭部を所定の支持力を伴いつつ駆動軸の軸方向に通過可能に支持する中間ヒンジ部を設けたビット・ネジ中間移送機構部と、このビット・ネジ中間移送機構部と一体で前記ネジの長さに応じた位置で前記所定長さの支持シャフト枠部、若しくはガイドハウジング等にスライド可能に嵌装されるとともに、ネジの頭部へのビット当接時には摩擦力によりビット・ネジ中間移送機構部を初期位置に止めてビットとともに前記ネジの頭部を前記支持力に抗して先方へ通過させ、前記間隔保持用のカラー筒体により本体側嵌装部との間隔が規制されるとともに、前記本体側ブロックに備えた突出体の当接による力を受けてこのビット・ネジ中間移送機構部を先方へスライド可能とする摩擦抵抗機構部を備えた中間嵌装部とを具備する中間ブロックと、
前記ビット・ネジ先端移送機構部の支持シャフト枠部に対する固定部分と、前記本体側ブロックの本体側嵌装部とにわたって前記シャフトに嵌装した前記ビット・ネジ先端移送機構部を付勢する本体側ブロック付勢部材と、
前記ビット・ネジ先端移送機構部の支持シャフト枠部に対する固定部分と、前記中間ブロックの中間嵌装部とにわたって前記シャフトに嵌装した中間ブロックを付勢する中間ブロック付勢部材と、
を有し、
前記保持機構部の本体側ブロック、中間ブロックに対する位置調整を前記ネジ長さ調整体で行うことによりネジ締付機からの突出長さを調整可能に構成したことを特徴とするネジ締付機用アタッチメント。
【請求項１２】
前記締め付け用のネジの長さは、８０ｍｍ乃至２００ｍｍであることを特徴とする請求項７乃至１１のいずれかに記載のネジ締付機用アタッチメント。
【発明の詳細な説明】
【技術分野】
【０００１】
本発明は、ネジ締付機及びネジ締付機用アタッチメントに関し、詳しくは、ネジの長短を問わず安定した状態で目的箇所へのネジ打ち込み、締め付けを効率よく行うことができ、全長を短く形成、構成したネジ締付機及びネジ締付機用アタッチメントに関するものである。
【背景技術】
【０００２】
従来、例えば一般住宅等の外断熱パネルの施工を行う場合、１００ｍｍ以上の長さのネジを使用することが多いが、このような長いネジの打ち込みを行う場合、作業者は片手でネジを持ち、他の手で電動締付機を持ってネジの目的箇所への打ち込み、締め付けを行っているのが実情である。このため、作業現場の足場が悪い等の状況では危険性を伴い、作業効率も良好ではない。
【０００３】
従来においても、数十ｍｍ程度の長さのネジを連続打ちするネジ締付機が実用化されているが、このネジ締付機の場合、１００ｍｍ以上の長さのネジに対応することは困難である。これは、１００ｍｍ以上の長いネジを安定して送り連続的に目的箇所へ打ち込むことが難しいこと、１００ｍｍ以上の長さのネジに対応しようとする場合、ネジ締付機の打ち込み機構部の全長が大幅に長くなる（例えばネジ長さ×２＋必要クリアランスの合計が略ネジ長さ×３程度になる）こと等の要因によるものである。また、ネジが長くなるとネジ単体の重量が重くなることから、連続打ち込み機構のネジ連結個数を多くできないという制約も生じる。
【０００４】
特許文献１には、締付機本体にビットを着脱自在に配置するとともに、締付機本体の前部に前後方向へ摺動自在に、かつ、ビスロープにより保持されたビスの連続送り出しを行うビス送り機構を取り付け、前記ビットの回転駆動とビスの連続送り出しとにより目的箇所へビスを連続的に打ち込むように構成した連続ビス締付機が提案されている。
【０００５】
しかし、この特許文献１の連続ビス締付機の場合、例えば３０ｍｍ、５０ｍｍのような比較的短いビスの連続打ち込みには適するものの、１００ｍｍを越えるような長いビスの場合には、既述した場合と同様、ネジを安定して送り連続的に目的箇所へ打ち込むことが難しくなったり、ネジ締付機の打ち込み機構部の全長が大幅に長くなってしまい、また、個々のビスの重量が大きくなることから連続打ち込み個数が制約されてしまう。
【０００６】
特許文献２には、回転工具に対してＹ字状の付属装置を取り付け、この付属装置のＹ字状を呈する一方の腕を回転工具の駆動スピンドルに連結し、他方の腕は締付具をＹ字状の共通部（鼻部）へ送る供給管とし、共通部の先端を目的箇所へ押し当てつつ前記駆動スピンドルにより締付具を回転させることで、この締付具を目的箇所へ打ち込むように構成した携帯用動力締結具駆動工具が提案されている。
【０００７】
しかし、この特許文献２の場合、１００ｍｍを越えるような長いビスの打ち込みが可能であるものの、付属装置の全長が極めて長くなってしまうとともに、その構造上下向きでの使用に限られ、垂直壁面や天井面等への締付具の打ち込みは困難である。当然、片手作業も困難である。
【特許文献１】特開平９−１３６２６９号公報
【特許文献２】特開昭５２−１６９９号公報
【発明の開示】
【発明が解決しようとする課題】
【０００８】
本発明が解決しようとする問題点は、目的箇所の如何を問わず、安定した状態で目的箇所へのネジ打ち込み、締め付けを片手で効率よく行うことができ、しかもネジを保持し打ち込みを行う機構部分の全長を、極力短く、ネジの長短に応じて調整でき、特に例えば全長が短いことで、１００ｍｍ以上の長いネジの打ち込みに適した構成のネジ締付機が存在しない点である。
【課題を解決するための手段】
【０００９】
本発明のネジ締付機は、駆動モータと、駆動モータの回転力を駆動軸に伝達、遮断するクラッチとを有する締付機本体と、この締付機本体に対して着脱可能に構成され、先端を目的箇所に当接させるネジ締付機用アタッチメントとを有するネジ締付機であって、前記締付機本体の駆動軸近傍から先方に向けて配置される所定長さの支持シャフト枠部、若しくはガイドハウジング等を有するとともに、締め付け用のネジの先端を着脱可能に支持しこのネジ及びこのネジを回転駆動するビットを通過させるビット・ネジ先端移送機構部を前記支持シャフト枠部、若しくはガイドハウジング等の先端側に備え、前記支持シャフト枠部、若しくはガイドハウジング等の締付機本体側にこの支持シャフト枠部、若しくはガイドハウジング等に対して位置調整可能に、かつ、固定可能に配置したネジ長さ調整体を備えた保持機構部と、前記締付機本体の駆動軸に着脱可能に連結されるとともに前記駆動軸の回転力を伝達するビットの基端を連結支持するソケットを有する駆動力伝達部と、この駆動力伝達部を嵌着し前記所定長さの支持シャフト枠部、若しくはガイドハウジング等の締付機本体側にスライド可能に嵌装した本体側嵌装部とを具備する本体側ブロックと、前記ビット先端に対向させるネジの頭部を着脱可能に、かつ、駆動軸の軸方向に通過可能に支持するビット・ネジ中間移送機構部と、このビット・ネジ中間移送機構部と一体で前記ネジの長さに応じた位置で前記所定長さの支持シャフト枠部、若しくはガイドハウジング等にスライド可能に嵌装した中間嵌装部とを具備する中間ブロックと、を有し、前記保持機構部の本体側ブロック、中間ブロックに対する位置調整を前記ネジ長さ調整体で行うことにより締付機本体からの突出長さを調整可能に前記ネジ締付機用アタッチメントを構成したことを最も主要な特徴とする。
【発明の効果】
【００１０】
本発明によれば、以下の効果を奏する。
請求項１記載の発明によれば、締付機本体にネジ締付機用アタッチメントの本体側ブロックを装着するとともに、ビット・ネジ中間移送機構部にネジの頭部を装着し、ビット・ネジ先端移送機構部にネジの先端を装着し、締付機本体を片手に持って電源スイッチをオンにしながら前記ネジ締付機用アタッチメントの先端を目的箇所に押し付ける、若しくは前記ネジ締め付け機用アタッチメントの先端を目的箇所に押し付けながら電源スイッチをオンにするだけの簡略な操作で、例えば１００ｍｍ以上の長いネジを片手で目的箇所に打ち込み、締め付けることができる。
【００１１】
また、前記本体側ブロック、中間ブロックは、保持機構部の支持シャフト枠部、若しくはガイドハウジング等に沿ってスライド可能に構成されているので、前記ネジ長さ調整体により、前記保持機構部と本体側ブロック、中間ブロックとの位置調整を行うことにより、前記ネジ締付機用アタッチメントの締付機本体からの突出長さをネジの長短に各々適合した状態に調整できコンパクトで操作し易いネジ締付機とすることができる。
【００１２】
請求項２記載の発明によれば、請求項１記載の発明と同様な効果を奏するとともに、本体側ブロックに突出体を備え、中間ブロックにネジの頭部へのビット当接時には摩擦力によりビット・ネジ中間移送機構部を初期位置に止めてビットとともに前記ネジの頭部を前記支持力に抗して先方へ通過させ、前記本体側ブロックに備えた突出体の当接による力を受けてこのビット・ネジ中間移送機構部を先方へスライド可能とする摩擦抵抗機構部を備えているので、ビット・ネジ中間移送機構部からのネジの頭部の抜け出しを含むネジの打ちこみ、締め付けを円滑に行うことができる。
【００１３】
請求項３記載の発明によれば、請求項１、２記載の発明と同様な効果を奏するとともに、前記支持シャフト枠部、若しくはガイドハウジング等の先端側に先端ヒンジ機構部を設けているので、ネジの保持及びネジの目的箇所への通過を円滑に行うことができる。
【００１４】
請求項４記載の発明によれば、前記摩擦抵抗機構部をブッシュとした構成で請求項１乃至３記載の発明と同様な効果を奏するとともに、保持機構部を締付機本体の駆動軸近傍から先方に向けて配置される所定長さの複数本のシャフト並列構造の支持シャフト枠部を備える構成とし、本体側ブロックの本体側嵌装部に、ビットと同方向に押当用の筒状の突出体及びこの突出体より長い間隔保持用のカラー筒体を前記シャフトに同軸配置に嵌装し先方に向けて突出させ、ビット・ネジ中間移送機構部に、ビットの先端に対向させるネジの頭部を着脱可能に、かつ、所定の支持力を伴いつつ駆動軸の軸方向に通過可能に支持する中間ヒンジ部を設けているので、中間部ブロックとの間隔保持及び中間ブロックに対する押し当て動作を的確に行い、さらにネジの保持及び抜け出しを的確に行うことができるネジ締付機を提供できる。
【００１５】
例えば、短いネジを使用する場合には、カラー筒体により定常状態の間隔（位置関係）が規制された本体側ブロックと中間ブロックに対して、保持機構部を支持シャフト枠部に沿ってネジ長さ調整体でその後端側に位置調整することで、本体側ブロックの締付機本体への装着部分からビット・ネジ先端移送機構部の先端に至る寸法を短縮したコンパクトで操作し易いネジ締付機とすることができる。
【００１６】
また、固定ブロックを付勢する本体側ブロック付勢部材と、中間ブロックを付勢する中間ブロック付勢部材とを備えることから、ネジの締め付け動作終了後の固定ブロック、中間ブロックの初期位置の復帰動作を速やかに実行し、次のネジの装着待機状態とすることができる。
【００１７】
請求項５記載の発明によれば、保持機構部を、締付機本体の駆動軸近傍から先方に向けて配置される所定長さの複数本のシャフト並列構造の支持シャフト枠部又はガイドハウジング等のガイドを備える構成とし、本体側ブロックの本体側嵌装部に、前記ビットと同方向に押当用の筒状の突出体及びこの突出体より長い間隔保持用のカラー筒体、若しくは棒体を前記支持シャフト枠部のシャフト、若しくはガイドハウジング等のガイドを同軸配置に嵌装し先方に向けて突出させた構成で、請求項４記載の発明と同様な効果を奏するネジ締付機を提供することができる。
【００１８】
請求項６記載の発明によれば、請求項１乃至５のいずれかに記載のネジ締付機において、締め付け用のネジの長さを例えば８０ｍｍ乃至２３０ｍｍとすることで、比較的長さ、重量が大きく、しかも寸法の異なる各ネジの打ち込み、締め付けに対応できる。
【００１９】
請求項７記載の発明によれば、既存のネジ締付機に、ネジ締付機用アタッチメントの本体側ブロックを装着し、すなわち、既存のネジ締付機と組み合わせ、請求項１記載の発明と同様、ビット・ネジ中間移送機構部にネジの頭部を装着し、ビット・ネジ先端移送機構部にネジの先端を装着し、ネジ締付機を片手に持って電源スイッチをオンにしながら前記ネジ締付機用アタッチメントの先端を目的箇所に押し付ける、若しくは前記ネジ締付機用アタッチメントの先端を目的箇所に押し当てながら電源スイッチをオンにするだけの簡略な操作で、例えば１００ｍｍ以上の長いネジを目的箇所に打ち込み、締め付けることができるネジ締付機用アタッチメントを提供できる。
【００２０】
また、前記本体側ブロック、中間ブロックは、保持機構部の支持シャフト枠部、若しくはガイドハウジング等に沿ってスライド可能に構成されているので、前記ネジ長さ調整体をもって、前記保持機構部と本体側ブロック、中間ブロックとの位置調整を行うことにより、前記ネジ締付機用アタッチメントのネジ締付機からの突出長さをネジの長短に各々適合した状態に調整できコンパクトで操作し易いネジ締付機用アタッチメントを提供できる。
【００２１】
請求項８記載の発明によれば、既存のネジ締付機に、ネジ締付機用アタッチメントの本体側ブロックを装着し、すなわち、既存のネジ締付機と組み合わせ、請求項２記載の発明と同様な効果を奏するネジ締付機用アタッチメントを提供できる。
【００２２】
請求項９記載の発明によれば、既存のネジ締付機に、ネジ締付機用アタッチメントの本体側ブロックを装着し、すなわち、既存のネジ締付機と組み合わせ、請求項３記載の発明と同様な効果を奏するネジ締付機用アタッチメントを提供できる。
【００２３】
請求項１０記載の発明によれば、既存のネジ締付機に、ネジ締付機用アタッチメントの本体側ブロックを装着し、すなわち、既存のネジ締付機と組み合わせ、請求項４記載の発明の場合と同様な効果を奏するネジ締付機用アタッチメントを提供できる。
【００２４】
例えば、短いネジを使用する場合には、カラー筒体により定常状態の間隔が規制された本体側ブロックと中間ブロックに対して、保持機構部を支持シャフト枠部に沿ってネジ長さ調整体でその後端側に位置調整することで、本体側ブロックのネジ締付機への装着部分からビット・ネジ先端移送機構部の先端に至る寸法を短縮したコンパクトで操作し易いネジ締付機用アタッチメントを提供できる。
【００２５】
請求項１１記載の発明によれば、保持機構部を、締付機本体の駆動軸近傍から先方に向けて配置される所定長さの複数本のシャフト並列構造の支持シャフト枠部又はガイドハウジング等のガイドを備える構成とし、本体側ブロックの本体側嵌装部に、前記ビットと同方向に押当用の筒状の突出体及びこの突出体より長い間隔保持用のカラー筒体、若しくは棒体を前記支持シャフト枠部のシャフト、若しくはガイドハウジング等のガイドを同軸配置に嵌装し先方に向けて突出させた構成で、請求項１０記載の発明と同様な効果を奏するネジ締付機用アタッチメントを提供できる。
【００２６】
請求項１２記載の発明によれば、請求項７至１１のいずれかに記載のネジ締付機用アタッチメントにおいて、締め付け用のネジの長さを例えば８０ｍｍ乃至２００ｍｍとすることで、既存のネジ締付機と組み合わせることで、比較的長さ、重量が大きく、しかも寸法の異なる各ネジの打ち込み、締め付けに対応できるネジ締付機用アタッチメントを提供できる。
【発明を実施するための最良の形態】
【００２７】
本発明は、目的箇所の如何を問わず、安定した状態で目的箇所へのネジ打ち込み、締め付けを片手で効率よく行うことができ、しかも例えば１００ｍｍ以上の長いネジを保持し打ち込み行う機構部分の全長を極力短く、ネジの長短に応じて調整でき、特に全長が短いことで、長いネジの打ち込みに適した構成のネジ締付機を提供するという目的を、駆動モータと、駆動モータの回転力を駆動軸に伝達、遮断するクラッチとを有する締付機本体と、この締付機本体に対して着脱可能に構成され、先端を目的箇所に当接させるネジ締付機用アタッチメントとを有するネジ締付機であって、前記締付機本体の駆動軸近傍から先方に向けて配置される所定長さの複数本のシャフト並列構造の支持シャフト枠部を有するとともに、締め付け用のネジの先端を所定の支持力で支持しこのネジ及びこのネジを回転駆動するビットを通過させる先端ヒンジ機構部を設けたビット・ネジ先端移送機構部を前記支持シャフト枠部の先端側に備え、前記複数本のシャフト並列構造の支持シャフト枠部の締付機本体側にこの支持シャフト枠部に対して位置調整可能に、かつ、固定可能に配置したネジ長さ調整体を備えた保持機構部と、前記締付機本体の駆動軸に着脱可能に連結されるとともに前記駆動軸の回転力を伝達するビットの基端を連結支持するソケットを有する駆動力伝達部と、この駆動力伝達部を嵌着し前記所定長さの支持シャフト枠部のシャフトの締付機本体側にスライド可能に、かつ、前記ネジ長さ調整体により位置調整可能に嵌装され、前記ビットと同方向に押当用の筒状の突出体及びこの突出体より長い間隔保持用のカラー筒体を前記シャフトに同軸配置に嵌装し先方に向けて突出させた本体側嵌装部とを具備する本体側ブロックと、前記ビットの先端を駆動軸の軸方向に通過可能に支持するとともに、前記ビットの先端に対向させるネジの頭部を着脱可能に、かつ、所定の支持力を伴いつつ駆動軸の軸方向に通過可能に支持する中間ヒンジ部を設けたビット・ネジ中間移送機構部と、このビット・ネジ中間移送機構部と一体に設けられ、ネジの頭部へのビット当接時には摩擦力によりビット・ネジ中間移送機構部を初期位置に止めてビットとともに前記ネジの頭部を前記中間ヒンジ機構部の支持力に抗して先方へ通過させ、前記本体側ブロックに備えた突出体の当接による力を受けてこのビット・ネジ中間移送機構部を先方へスライド可能とする摩擦抵抗機構部であるブッシュを前記シャフトとの間に介在させ、前記間隔保持用のカラー筒体により本体側嵌装部との間隔が規制されるとともに、前記突出体の当接により前記ビット・ネジ先端移送機構部側にスライドする中間嵌装部とを具備する中間ブロックと、前記ビット・ネジ先端移送機構部の支持シャフト枠部に対する固定部分と、前記本体側ブロックの本体側嵌装部とにわたって前記シャフトに嵌装した前記ビット・ネジ先端移送機構部を付勢する本体側ブロック付勢部材と、前記ビット・ネジ先端移送機構部の支持シャフト枠部に対する固定部分と、前記中間ブロックの中間嵌装部とにわたって前記シャフトに嵌装した中間ブロックを付勢する中間ブロック付勢部材と、を有し、前記保持機構部の本体側ブロック、中間ブロックに対する位置調整を前記ネジ長さ調整体で行うことにより締付機本体からの突出長さを調整可能に前記ネジ締付機用アタッチメントを構成したことにより実現した。
【実施例】
【００２８】
以下に、本発明の実施例に係るネジ締付機について図面を参照して詳細に説明する。
【００２９】
図１、図２に示す本実施例に係るネジ締付機１は、締付機本体２と、この締付機本体２に対して着脱可能に構成され、先端を目的箇所である例えば一般住宅等の壁面構成材１００に当接させるネジ締付機用アタッチメント１０とを有している。
【００３０】
締付機本体２は、商用電源（例えばＡＣ１００Ｖ）に接続するための電源コード４、引金形の電源スイッチ５を備え、この締付機本体２の内部に駆動軸３の回転駆動を行う駆動源である駆動モータ、減速機構、駆動モータから駆動軸３への駆動力の伝達及び伝達解除を行うクラッチを搭載している。このクラッチの種類は、最も一般的なネジを規定深さで止める位置検出式クラッチの他、トルク検出式や、インパクト式など、ネジや部材の種類に応じた形式を使用するのが望ましい。また、前記締付機本体２は、操作者が片手で握って、操作可能な構成である。
【００３１】
前記ネジ締付機用アタッチメント１０は、図１、図２に示すように、前記締付機本体２の駆動軸３の近傍から先方に向けて配置される所定長さの保持機構部１１と、この保持機構部１１の締付機本体２側の位置及び中間位置に各々スライド可能に取り付けた本体側ブロック１２及び中間ブロック１３を有している。すなわち、保持機構部１１の締付機本体２側は、前記本体側ブロック１２を介して支持され、締付機本体２の近傍から離脱しないように構成している。
【００３２】
前記保持機構部１１は、前記締付機本体２の駆動軸３の近傍から先方に向けて配置される所定長さで並列配置の３本のシャフト２１と、この３本のシャフト２１の締付機本体２側の端部に配置した図３に示す略長方形板状で３個の孔２３ａを設けた端部板２３と、この端部板２３を３本のシャフト２１にネジ止め固定する３個の止めネジ２２とを有する支持シャフト枠部２０と、３本のシャフト２１の先端側が各々嵌着されるとともに、３個の止めネジ２２を用いて３本のシャフト２１の先端側端部を各々内蔵するようにして固定した固定ブロック２４及びこの固定ブロック２４と一体でその下方に位置するビット・ネジ先端移送機構部２５とを有している。固定ブロック２４には、シャフト２１を嵌め着ける孔２４ａを設けている。前記並列配置の３本のシャフト２１の代りに、ガイドハウジング等のガイドを用いることもできる。
【００３３】
前記ビット・ネジ先端移送機構部２５には、図１、図４に示すように目的箇所へ打ち込み締め付けるネジ１０１及びこのネジ１０１を回転駆動するビット１０２を先方へ通過させる先端ヒンジ機構部２８を設けている。
【００３４】
すなわち、前記ビット・ネジ先端移送機構部２５は、前記固定ブロック２４から締め付け用のネジ１０１の移送方向から下方に向け、かつ、一定の間隔を持って平行配置に垂下され、ネジ１０１及びビット１０２が通過可能な穴を穿設した保持部２６、２７間に先端ヒンジ機構部２８を配置している。
【００３５】
前記先端ヒンジ機構部２８は、前記保持部２６、２７の間にネジ１０１の移送方向に沿って、かつ、上下配置に一対のヒンジピン２９、２９を配置するとともに、この一対のヒンジピン２９、２９により、前記締め付け用のネジ１０１の先端を所定の支持力で、上下から挟み込むようにして挟持する上下一対の保持片３０、３０の基端側を回動可能に支持し、更に、一対のヒンジピン２９、２９に各々巻装するとともに一対の保持片３０、３０に各々掛け渡した一対のスプリング（コイルバネ）３１、３１により、前記一対の保持片３０、３０を各々これらの間に位置するネジ１０１側に付勢するように構成している。
【００３６】
前記保持部２６、２７のうち、先端側に位置する一方の保持部２７は、前記壁面構成材１００に当接させる当接片２７ａを一体で有している。
【００３７】
前記保持機構部１１は、前記端部板２３に隣接する位置に、図５にも示すように、前記支持シャフト枠部２０の３本のシャフト２１に対して位置調整可能（スライド可能）に、かつ、固定可能にネジ長さ調整体３２を配置している。
このネジ長さ調整体３２は、接合した状態で前記シャフト２１の直径に略等しい又は僅かに大きい径の３個の円形孔３７を生成する一対のストッパクランプ３３、３４を具備し、一方のストッパクランプ３３側から他方のストッパクランプ３４側へ貫通するようにローレットノブ３５のネジ部３６を螺合して、このローレットノブ３５を回転操作することで、一対のストッパクランプ３３、３４の締め付け又は締め付け解除を行うように構成している。
【００３８】
すなわち、前記ローレットノブ３５の回転操作により一対のストッパクランプ３３、３４の締め付けを行うことで、ネジ長さ調整体３２は３本のシャフト２１に対して締め付け固定され、また、ローレットノブ３５の回転操作により一対のストッパクランプ３３、３４の締め付け解除を行うことで、ネジ長さ調整体３２は図1に示す矢印ａ、ｂ方向にスライド可能な状態となるように構成している。
【００３９】
前記本体側ブロック１２は、図１、図２及び図６に示すように、前記締付機本体２の先端部分に着脱可能に連結されるモータアダプタ４１と、前記駆動軸３の回転力を伝達するビット１０２の基端を着脱可能に連結支持するソケット４２及びスリーブ４３とを具備して、外周を円形に形成した駆動力伝達部４０と、この駆動力伝達部４０を嵌着するとともに、前記所定長さの支持シャフト枠部２０の３本のシャフト２１の締付機本体２側で前記ネジ長さ調整体３２に隣接する位置に矢印ａ、ｂ方向にスライド可能に、かつ、前記ネジ長さ調整体３２により位置調整可能に嵌装した本体側嵌装部４４とを具備している。
【００４０】
この本体側嵌装部４４は、前記モータアダプタ４１を嵌着する円形孔部４６を設けた直方体状のマウント体４５を具備し、前記円形孔部４６の下端からマウント体４５の下端にわたって間隙４７を設け、前記ビット１０２の軸方向と直交する方向から間隙４７を貫く配置で締め付けネジ４８を螺合して、この締め付けネジ４８を締め付けることで、前記円形孔部４６に嵌着したモータアダプタ４１を固定するように構成している。なお、図２中４５ａはマウント体４５に添着したＯリングである。
【００４１】
また、前記マウント体４５の上部には、前記３本のシャフト２１のうち、中央のシャフト２１を貫通させるネジ孔４９及び両側のシャフト２１、２１を各々貫通させる前記ネジ孔４９の両側に位置する２個の側孔５０ａ、５０ｂを設けている。
【００４２】
前記中央のシャフト２１には、前記マウント体４５のネジ孔４９に一端をねじ込み嵌装し、他端側を中間ブロック１３側に突出させた押当用の筒状の突出体であるストッパダイアル５１と、このストッパダイアル５１の内側で前記マウント体４５のネジ孔４９を貫通する一定の寸法を有する間隔保持用のカラー筒体５２とを同軸配置に取り付けている。前記カラー筒体５２に代えて棒体を用いることもできる。
【００４３】
前記カラー筒体５２は、マウント体４５のネジ孔４９を貫通する状態で、前記中央のシャフト２１に嵌装されるとともに、その一端を前記ネジ長さ調整体３２の端面に接触させて、またその他端を前記中間ブロック１３の端面に接触させ、前記ネジ長さ調整体３２と前記中間ブロック１３との間隔を一定間隔に保持するように構成している。
【００４４】
前記ストッパダイアル５１は、カラー筒体５２より短い寸法に形成されるとともに、前記マウント体４５のネジ孔４９に一端をねじ込み嵌装した状態で前記カラー筒体５２に対してはスライド可能に構成され、前記カラー筒体５２の外側で前記マウント体４５とともに矢印ａ、ｂ方向にスライド可能となっている。
【００４５】
前記中間ブロック１３は、図１、図２及び図７に示すように、ビット１０２を駆動軸３の軸方向に通過可能に支持するとともに、前記ビット１０２の先端に対向させるネジ１０１の頭部１０１ａを着脱可能に、かつ、所定の支持力を伴いつつ駆動軸３の軸方向に通過可能に支持する中間ヒンジ部６１を設けたビット・ネジ中間移送機構部６０と、このビット・ネジ中間移送機構部６０と一体構成され、前記支持シャフト枠部２０の３本のシャフト２１に対して矢印ａ、ｂ方向にスライド可能に嵌装した略直方体状の中間嵌装部６２とを具備している。
【００４６】
前記ビット・ネジ中間移送機構部６０を構成する中間ヒンジ部６１は、中間嵌装部６２から垂下した前記ビット１０２の先端及びネジ１０１の頭部１０１ａを着脱可能に設置する垂下片６９に対して、前記ビット１０２の移送方向と直交する方向から上下配置に一対のヒンジピン６３、６３を螺合し、この一対のヒンジピン６３、６３により一対の略（ほぼ）くの字状の中間保持片６４、６４の各一端を前記ビット１０２の移送方向に沿う方向に各々回動可能に支持し、前記中間保持片６４、６４の各他端により前記ネジ１０１の頭部１０１ａより先方側の位置を上下から挟み込む配置となるように臨ませている。
【００４７】
更に中間ヒンジ部６１は、前記一対のヒンジピン６３、６３に巻装し、一対の中間保持片６４、６４に掛け渡した一対のスプリング（コイルバネ）６５、６５により、これら一対の中間保持片６４、６４の他端側を前記ネジ１０１の頭部１０１ａ側に向けて一定の力で付勢するように構成している。
【００４８】
前記中間嵌装部６２は、前記支持シャフト枠部２０の３本のシャフト２１を貫通させる中央孔６６及び２個の側孔６７ａ、６７ｂを設けている。前記中央孔６６と中央のシャフト２１との間には摩擦抵抗機構部であるブッシュ６８を介在させている。
【００４９】
すなわち、このブッシュ６８は、前記ネジ１０１の頭部１０１ａに設けたリセスへビット１０２が当接し噛み合ってこのネジ１０１を先方へ押す時には、摩擦力によりビット・ネジ中間移送機構部６０及び中間嵌装部６２を初期位置に止めて、ビット１０２とともに前記ネジ１０１の頭部１０１ａを前記中間ヒンジ部６１の中間保持片６４、６４による支持力に抗して先方へ通過させて、また、前記ストッパダイアル５１の当接による力を受けてビット・ネジ中間移送機構部６０及び中間嵌装部６２を先方へスライド可能な状態とするものである。
【００５０】
前記ビット・ネジ中間移送機構部６０及び中間嵌装部６２は、ブッシュ６８のスライド部分に対して吊り下げ（オーバハング）の荷重として作用し、ビット１０２が押しただけでは下記に述べるようにスライドしない。
【００５１】
ここで、図８を参照して、前記ビット１０２がネジ１０１の頭部１０１ａに設けたリセスへ噛み合った時点におけるビット・ネジ中間移送機構部６０及び中間嵌装部６２の初期位置でのスライド停止、及び停止解除の動作について具体的に説明する。
【００５２】
なお、前記ビット１０２からネジ１０１の頭部１０１ａに設けたリセスへ作用する荷重をＷ、ネジ１０１の頭部１０１ａが中間ヒンジ部６１の一対の中間保持片６４、６４から先方へ抜けるのに要する荷重をＦとする。
【００５３】
前記荷重Ｗは、ネジ１０１の頭部１０１ａを介してビット・ネジ中間移送機構部６０を経て中間嵌装部６２に加わり、ブッシュ６８が存在する部分において分力Ｗ’としてラジアル方向に作用する。この分力Ｗ’によりブッシュ６８とシャフト２１との間には前記荷重Ｗと反対方向の摩擦力Ｆ’が発生する。
【００５４】
このとき、荷重Ｆ＜摩擦力Ｆ’であれば、ビット・ネジ中間移送機構部６０及び中間嵌装部６２はスライドせず、前記ネジ１０１の頭部１０１ａはビット・ネジ中間移送機構部６０から外れて先方へ抜けることになる。
【００５５】
従って、荷重Ｆ＜荷重Ｗであるため、予め、荷重Ｗ＜摩擦力Ｆ’となるように設定しておくことで、荷重Ｆ＜摩擦力Ｆ’の構成とすることができ、これにより前記ビット１０２がネジ１０１を先方へ押しただけではビット・ネジ中間移送機構部６０及び中間嵌装部６２がスライドしない構造とすることができる。
【００５６】
次に、停止解除については、前記ストッパダイアル５１が中間ブロック１３に当接する場合、ブッシュ６８のスライド部分に対して吊り下げ（オーバハング）の荷重とならないため、Ｗ’＝０となり、Ｆ’＝０であるので、中間ブロック１３はストッパダイアル５１に押されてスライドする。
【００５７】
前記ビット・ネジ先端移送機構部２５の支持シャフト枠部２０に対する固定部分である固定ブロック２４と、前記本体側ブロック１２の本体側嵌装部４４を構成するマウント体４５とにわたって、前記シャフト２１に嵌装した本体側ブロック１２、固定ブロック２４間に付勢力を作用する例えばコイルバネからなる本体側ブロック付勢部材７１を外側のシャフト２１に嵌装する状態で設けている。前記本体側ブロック付勢部材７１は、前記中間ブロック１３の中間嵌装部６２を貫通するように構成している。
【００５８】
また、前記ビット・ネジ先端移送機構部２５の支持シャフト枠部２０に対する固定部分である固定ブロック２４と、前記中間ブロック１３の中間嵌装部６２とにわたって前記シャフト２１に嵌装した中間ブロック１３、固定ブロック２４間に付勢力を作用する例えばコイルバネからなる中間ブロック付勢部材７２を中央のシャフト２１に嵌装する状態で設けている。
【００５９】
次に、図９、図１０を参照して、本実施例に係るネジ締付機１によるネジ１０１の打ち込み、締め付け動作について行程１乃至行程４の順に説明する。
なお、ネジ１０１は、例えば１３０ｍｍの長さを有するものとして以下の説明を行う。
【００６０】
（行程１）
まず、ネジ締付機１の締付機本体２の駆動軸３の部分にネジ締付機用アタッチメント１０のモータアダプタ４１とソケット４２を装着し、更に、ネジ締付機用アタッチメント１０のソケット４２にビット１０２の一端を装着し、スリーブ４３をスライド操作させて固定する。このとき、中間ブロック１３が定常位置として、ビット１０２の先端を嵌装することになる。
【００６１】
また、中間ブロック１３における中間ヒンジ部６１と、先端ヒンジ機構部２８とにネジ１０１を装着する。更に、前記ビット・ネジ先端移送機構部２５の当接片２７ａを目的箇所である壁面構成材１００に押し当てる。この状態を図９、図１０において行程１として示す。
【００６２】
（行程２）
次に、ネジ締付機１の電源コード４を商用電源に接続した状態で、前記電源スイッチ５を指で引く（電源オン）。これにより、ネジ締付機１の駆動モータが始動するが、位置検出式クラッチの場合はこの時点ではビット１０２は回転しない。作業者がネジ締付機１を壁面構成材１００に対して押し付ける動作をすると、駆動力伝達部４０を含む本体側ブロック１２とともにビット１０２が先方に移動し、ビット１０２の先端がネジ１０１における頭部１０１ａのリセスに噛み合いながらネジ１０１を先方に押す。
【００６３】
このとき、既述したしたように、前記ビット１０２の先端がネジ１０１の頭部１０１ａを押しただけでは中間ブロック１３は移動せず、ビット１０２に押されるネジ１０１の頭部１０１ａにより前記中間ヒンジ部６１の中間保持片６４、６４がスプリング６５、６５のバネ力に抗して外側に開き、これにより、ネジ１０１の頭部１０１ａが、ビット１０２に押されつつ中間ヒンジ部６１の先方に抜け出る。この状態では、前記本体側ブロック１２の移動ストロークは２０ｍｍである。この段階で、ネジ１０１の先端は壁面構成材１００に当接するため、位置検出式クラッチの場合、その反力でクラッチが駆動モータの回転力を駆動軸３と介してビット１０２に伝達し、ネジ１０１の頭部１０１ａのリセスに噛み合ったビット１０２の回転力によりネジ１０１は回転しながら壁面構成材１００にねじ込み始める。これらの状態を図９、図１０において行程２として示す。
【００６４】
（行程３）
前記作業者のネジ締付機１の更なる押し付け動作により、本体側ブロック１２が先方へ更に移動し、同時にネジ１０１の頭部１０１ａが、ビット１０２に押されながら回転することで、ネジ１０１は壁面構成材１００に更に進入する。やがて、本体側ブロック１２に設けたストッパダイアル５１が中間ブロック１３の中間嵌装部６２に当接する。
【００６５】
前記ストッパダイアル５１から中間嵌装部６２に作用する先方への力は、前記ブッシュ６８の摩擦力Ｆ’よりも大きい、若しくは吊り下げ（オーバハング）の荷重が働かないためにＷ’＝０となり、Ｆ’＝０であるために、ストッパダイアル５１が中間嵌装部６２に当接した時点から中間ブロック１３は先方へ移動し始める。このとき、前記本体側ブロック１２の移動ストロークは例えば８０ｍｍ、中間ブロック１３の移動ストロークは例えば１２ｍｍである。これらの状態を図９、図１０において行程３として示す。
【００６６】
（行程４）
前記作業者のネジ締付機１の更なる押し付け動作により、前記本体側ブロック１２及び中間ブロック１３も先方へ移動し、ビット１０２に押されるネジ１０１の頭部１０１ａは、前記先端ヒンジ機構部２８の保持片３０、３０をスプリング３１、３１のバネ力に抗して外方へ開き、先端ヒンジ機構部２８を抜け出て、これによりネジ１０１は壁面構成材１００に更に進入する。
【００６７】
やがて、前記本体側ブロック１２により押される中間ブロック１３が、固定ブロック２４に当たる。これにより、本体側ブロック１２及び中間ブロック１３の先方への移動が終了し、また、締付機本体２に搭載したクラッチ（例えば位置検出式深さクラッチ）が切れて、ビット１０２の回転が停止し、それによりネジ１０１のねじ込みも停止する。
【００６８】
この段階で、ネジ１０１の頭部１０１ａの部分まで壁面構成材１００に打ち込まれた状態となる。このとき、前記本体側ブロック１２の移動ストロークは例えば１５３ｍｍ、中間ブロック１３の移動ストロークは例えば８５ｍｍである。これらの状態を図９、図１０において行程４として示す。
【００６９】
この後、ネジ１０１の頭部１０１ａからビット１０２の先端を外し、一本のネジ１０１の打ち込み作業を終える。打ち込み作業が終了した後、作業者の押しつけによりストロークさせたネジ締付機１のストロークを戻す過程において、前記本体側ブロック付勢部材７１の付勢力により前記本体側ブロック１２は行程１に示す初期位置に復帰し、また、前記中間ブロック付勢部材７２の付勢力により前記中間ブロック１３も行程１に示す初期位置に復帰して、次のネジ１０１の装着待機状態となる。
【００７０】
次に、図１１、図１２を参照して本実施例に係るネジ締付機用アタッチメント１０の長さ調整について説明する。
【００７１】
図１１、図１２は、ネジ締付機用アタッチメント１０における先端ヒンジ機構部２８に例えば長さ１００ｍｍのネジ１１１の先端を装着し、中間ヒンジ部６１にネジ１１１の頭部１１１ａを装着した状態を示すものである。この場合、ビット１０２の長さは、間隔保持用のカラー筒体５２により中間ブロック１３とネジ長さ調整体３２の距離が規制されているため、上述した場合と同様となる。
【００７２】
図１１、図１２に示す場合においては、前記ネジ長さ調整体３２のローレットノブ３５を回転操作し、一旦ネジ部３６を緩めてストッパクランプ３３、３４を図９の行程１に示す位置からシャフト２１に沿って先方へ移動させ、前記先端ヒンジ機構部２８と中間ヒンジ部６１との間隔をネジ１１１の長さに対応する位置とし、この状態でローレットノブ３５を回転操作しネジ部３６を締めてストッパクランプ３３、３４をシャフト２１に固定する。
【００７３】
この場合には、前記ネジ長さ調整体３２は、ネジ１１１の長さに対応して既述した行程１に示す位置から先方へ３０ｍｍ移動した位置となる。
【００７４】
この結果、ネジ締付機用アタッチメント１０におけるモータアダプタ４１の締付機本体２に対する取り付け端面から先端側の当接片２７ａの端面に至る寸法Ｌ２を、前記行程１に示す状態の寸法Ｌ１よりも３０ｍｍ少ない短小の状態として、このネジ１１１を既述した場合と同様に前記締付機本体２を使用して目的箇所へ打ち込むことが可能となる。
【００７５】
前記ビット１０２の長さは不変であり、全てネジ長さ調整体３２の位置調整によって全長をネジ１１１に合わせて調整する。またビット１０２の長さは固定ブロック２４と、本体側ブロック１３の厚みを足した寸法に必要クリアランスを足した寸法で決定する。また同時にネジ長さ調整体５２の長さとの関係も固定である。
【００７６】
以上説明した本実施例に係るネジ締付機１によれば、締付機本体２にネジ締付機用アタッチメント１０の本体側ブロック１２を装着するとともに、ビット・ネジ中間移送機構部６０にネジ１０１の頭部１０１ａを、ビット・ネジ先端移送機構部２５にネジ１０１の先端を装着し、締付機本体２を片手に持って、ネジ締付機用アタッチメント１０の当接片２７ａを外断熱パネル１００に押し当てた状態で、電源スイッチ５をオンにするだけの極めて簡略な操作で、例えば１００ｍｍ以上の長いネジ１０１を、例えば壁面構成材１００に打ち込み、締め付けることができる。
【００７７】
また、本体側ブロック１２、中間ブロック１３は、保持機構部１１の支持シャフト枠部２０に沿ってスライドし、ネジ長さ調整体３２によって本体側ブロック１２に対する支持シャフト枠部２０の位置を調整、固定でき、その場合でもカラー筒体５２によって中間ブロック１３と本体側ブロック１２の定常時の位置関係が変わらないので、ネジ締付機用アタッチメント１０をネジ１０１の長短に各々適合した状態に調整することで、常に全長を最短の状態で、壁面構成体１００への打ち込み、締め付けを行うことができる。
【００７８】
すなわち、図１１に示すように、比較的短いネジ１１１を使用する場合には、本体側ブロック１２を支持シャフト枠部２０に沿ってその先端側に位置調整することで、本体側ブロック１２の締付機本体２への装着部分からビット・ネジ先端移送機構部２５における当接片２７ａの先端に至る寸法Ｌ２を、比較的長いネジ１０１を使用する場合（寸法Ｌ１）よりも短縮したコンパクトで操作し易いネジ締付機１とすることができる。
【００７９】
また、本実施例のネジ締付機１によれば、既述したような保持機構部１１、本体側ブロック１２及び中間ブロック１３の構成により、軸方向で不要部分が無くなり、ネジ１０１を使用する場合においてネジ締付機用アタッチメント１０の寸法（全長）Ｌ１を、ネジ１０１の長さの略２倍、又は２倍以下に抑えたコンパクトで操作し易いものとすることができる。
【００８０】
更に、本体側ブロック１２の本体側嵌装部４４に先方に向けて突出させたストッパダイアル５１を備え、中間ブロック１３の中間嵌装部６２にブッシュ６８を設け、このブッシュ６８によって、ネジ１０１の頭部１０１ａへのビット１０２当接時には摩擦力により中間ブロック１３のビット・ネジ中間移送機構部６０を初期位置に止めてビット１０２とともにネジ１０１の頭部１０１ａをビット・ネジ中間移送機構部６０の支持力に抗して先方へ通過させ、本体側ブロック１２に備えたストッパダイアル５１の当接による力を受けてこのビット・ネジ中間移送機構部６０を先方へスライドさせるようにしているので、ビット・ネジ中間移送機構部６０からのネジ１０１の頭部１０１ａの抜け出しを含むネジ１０１の打ち込み、締め付けを円滑に行うことができる。
【００８１】
更に、本実施例のネジ締付機１によれば、前記固定ブロック２４を付勢する本体側ブロック付勢部材７１と、中間ブロック１３を付勢する中間ブロック付勢部材７２とを備えることから、ネジ１０１の締め付け動作終了後の本体側ブロック１２、中間ブロック１３の初期位置の復帰動作を速やかに実行し、次のネジ１０１の装着待機状態とすることが可能で、作業効率の向上を図ることができる。
【００８２】
また、本実施例に係るネジ締付機用アタッチメント１０は、このネジ締付機用アタッチメント１０のみを単体として扱い、既存のネジ締付機（前記締付機本体２と同様な構成からなるネジ締付機、若しくはドリルドライバ、インパクトドライバ等）と組み合わせて使用するような態様とすることもできる。この場合においても、上述した場合と同様な種々の作用効果を発揮させることができる。
【００８３】
また、本実施例によれば、前記ストッパダイヤル５１がネジで伸縮することにより、押し当て位置を変えることができ、目的箇所に対する締め付け深さの調整を行うことができる。また、前記ネジ長さ調整体３２としては、クランプ以外にもネジ式ダイヤル等、調整と固定ができる構造であれば実施可能である。
【産業上の利用可能性】
【００８４】
本発明は、上述したような長さ８０乃至２００ｍｍのネジの打ち込みに適用する場合の他、長さ８０ｍｍ以下のネジ、長さ２００ｍｍ以上のネジ等、種々の長さネジの打ち込みに広範に適用可能である。
【図面の簡単な説明】
【００８５】
【図１】本発明の実施例に係るネジ締付機の一部を断面で示す概略側面図である。
【図２】本実施例に係るネジ締付機用アタッチメントにおける支持シャフト枠部の一部を断面で示す概略断面図である。
【図３】本実施例に係るネジ締付機用アタッチメントにおける端部板の概略断面図である。
【図４】本実施例に係るネジ締付機用アタッチメントにおけるビット・ネジ先端移送機構部の概略断面図である。
【図５】本実施例に係るネジ締付機用アタッチメントにおけるネジ長さ調整体のネジ締付機側から見た概略断面図である。
【図６】本実施例に係るネジ締付機用アタッチメントにおける本体側嵌装部の概略断面図である。
【図７】本実施例に係るネジ締付機用アタッチメントにおけるビット・ネジ中間移送機構部の概略断面図である。
【図８】本実施例に係るネジ締付機用アタッチメントにおける中間ブロックのビットがネジを押すときのスライド停止動作を示す説明図である。
【図９】本実施例に係るネジ締付機によるネジ打ち込み動作時におけるネジ締付機用アタッチメント各部の行程説明図である。
【図１０】本実施例に係るネジ締付機によるネジ打ち込み動作時におけるネジ締付機用アタッチメントの支持シャフト枠部の行程説明図である。
【図１１】本実施例に係るネジ締付機用アタッチメントにおけるネジの長さに応じて全長を短縮した状態を示す概略側面図である。
【図１２】本実施例に係るネジ締付機用アタッチメントの支持シャフト枠部におけるネジの長さに応じて全長を短縮した状態を示す概略平面図である。
【符号の説明】
【００８６】
１    ネジ締付機
２    締付機本体
３    駆動軸
４    電源コード
５    電源スイッチ
１０    ネジ締付機用アタッチメント
１１    保持機構部
１２    本体側ブロック
１３    中間ブロック
２０    支持シャフト枠部
２１    シャフト
２２    止めネジ
２３    端部板
２３ａ  ネジ孔
２４    固定ブロック
２４ａ  孔
２５    ビット・ネジ先端移送機構部
２６    保持部
２７    保持部
２７ａ  当接片
２８    先端ヒンジ機構部
２９    ヒンジピン
３０    保持片
３１    スプリング
３２    ネジ長さ調整体
３３    ストッパクランプ
３４    ストッパクランプ
３５    ローレットノブ
３６    ネジ部
３７    円形孔
４０    駆動力伝達部
４１    モータアダプタ
４２    ソケット
４３    スリーブ
４４    本体側嵌装部
４５    マウント体
４５ａ  Ｏリング
４６    円形孔部
４７    間隙
４８    締め付けネジ
４９    ネジ孔
５０ａ  側孔
５０ｂ  側孔
５１    ストッパダイアル
５２    カラー筒体
６０    ビット・ネジ中間移送機構部
６１    中間ヒンジ部
６２    中間嵌装部
６３    ヒンジピン
６４    中間保持片
６５    スプリング
６６    中央孔
６７ａ  側孔
６７ｂ  側孔
６８    ブッシュ
６９    垂下片
７１    本体側ブロック付勢部材
７２    中間ブロック付勢部材
１００    壁面構成材
１０１    ネジ
１０１ａ  頭部
１０２    ビット
１１１    ネジ
１１１ａ  頭部
【図１】
2007144602.tif 000003
【図２】
2007144602.tif 000004
【図３】
2007144602.tif 000005
【図４】
2007144602.tif 000006
【図５】
2007144602.tif 000007
【図６】
2007144602.tif 000008
【図７】
2007144602.tif 000009
【図８】
2007144602.tif 000010
【図９】
2007144602.tif 000011
【図１０】
2007144602.tif 000012
【図１１】
2007144602.tif 000013
【図１２】
2007144602.tif 000014